(57)【要約】      （修正有）【課題】小玩具やキャラクターフィギュアなどの立体的な景品類を収納容器に入れることができ、収納した状態においては損傷することがなく、ボトルに装着した時に外観の体裁が良好で、ボトルに施された表示部を隠すことがないボトル用景品収納包装容器の提供。【解決手段】飲料など充填されたボトルＢの口部に螺合するキャップＣに被着する短筒状のキャップ本体１と景品収納容器２は底体３と蓋体４とからなり連結片５で連設されている。蓋体４を折り返して蓋体４の開口部４ａと底体３の開口部３ａを腹合せとする。係合部８、１１の係脱により蓋体を開閉自在にする。【選択図】図４
0003108300.tif 000002
【実用新案登録請求の範囲】
【請求項１】
飲料など充填されたボトルの口部に螺合するキャップに被着する短筒状のキャップ本体と景品収納容器が合成樹脂で一体的に形成されており、その景品収納容器は底体と蓋体とからなり連結片で連設されていると共に、蓋体を折り返して蓋体の開口部と底体の開口部を腹合せとし、係合具の係脱により蓋体を開閉自在に構成したことを特徴とするボトル用景品収納包装容器。
【請求項２】
キャップ本体と一体的に形成された景品収納容器は、首部から胴部にかけての比較的高い位置で垂直に装着されており、ボトルの胴部の直径より越えない厚さに形成してある請求項１に記載のボトル用景品収納包装容器。
【請求項３】
底体の下方部に垂下して延出する下部ヘッダーを設けて広告表示部としてある請求項１または２に記載のボトル用景品収納包装容器。
【考案の詳細な説明】
【技術分野】
【０００１】
本考案は、主として飲料などを充填したペットボトルまたは瓶などの口部に螺合するキャップに被着する短筒状のキャップ本体と景品収納容器を一体的に形成したボトル用景品収納包装容器に関するものである。
【背景技術】
【０００２】
従来から、清涼飲料水、ジュース、お茶、麺つゆ、酢、醤油、ソース、などの液体流動品はペットボトルや瓶などに充填されてスーパーマーケット、コンビニエンスストアまたは自動販売機などで販売されている。これらの商品は多数のメーカーが多くの種類を販売しており、個人の好みによる好き嫌いはあるが、本質的な味などにおいては各社の製品とも大差がなく、他社製品との差異をアッピールしても販売増進につながらないのが現状である。
【０００３】
そのため、各メーカーはキャンペーンを行い、そのキャンペーン期間中に商品を購入すると、ボトルに付設した景品が貰えるサービスをすることにより顧客の購買意欲をそそり、販売促進を図っている。
【０００４】
そのようなボトルに景品を付設する手段としては、例えば、図５に示すように、合成樹脂包装袋２１内に景品２２が収納されていると共に、包装袋２１の上方部に貫通孔２３を穿設し、その貫通孔２３をペットボトル２４の首部に挿通して吊り下げていた。（例えば、特許文献１、２参照）
【特許文献１】特開平９−８６５４３号公報
【特許文献２】特開２００１−５８６４２号公報
【考案の開示】
【考案が解決しようとする課題】
【０００５】
しかしながら、前記の特許文献１、２は景品を収納するのは合成樹脂製の包装袋であるから、外力がかかると破れ易く収納された景品が露出するばかりでなく、景品が損傷する問題があった。また、ボトルの首部に取付けた状態においては、景品が特異な形状であれば包装袋が歪な形状になり外観が不体裁になると共に、包装袋が垂れ下がりボトルのラベルが隠れて見えなくなると言った問題点があった。
【０００６】
さらに、包装袋は内在する景品によってボトル胴部の外周よりも膨出し、ボトルの運搬や収納、陳列時に隣接するボトル胴部とボトル胴部との間に入ったり、ボトル胴部と収納容器との間に入り邪魔になっており、陳列時に規定されたスペースに規定された数のボトル類が置けなくなったりする問題点があった。
【０００７】
本考案は、上記の問題を解決することを課題として研究開発されたもので、小玩具やキャラクターフィギュアなどの立体的な景品類を収納容器に入れることができると共に、収納した状態においては損傷することがなく、ボトルに装着した時に外観の体裁が良好で、ボトルに施された表示部を隠すことのないボトル用景品収納包装容器を提供するものである。
【課題を解決するための手段】
【０００８】
上記の課題を解決し、その目的を達成する手段として、本考案は、飲料など充填されたボトルの口部に螺合するキャップに被着する短筒状のキャップ本体と景品収納容器が合成樹脂で一体的に形成されており、その景品収納容器は底体と蓋体とからなり連結片で連設されていると共に、蓋体を折り返して蓋体の開口部と底体の開口部を腹合せとし、係合具の係脱により蓋体を開閉自在に構成したとを特徴とするボトル用景品収納包装容器を開発し、採用した。
【０００９】
また、上記のように構成した本考案のボトル用景品収納包装容器において、キャップ本体と一体的に形成された景品収納容器は、首部から胴部にかけての比較的高い位置で垂直に装着されており、ボトルの胴部の直径より越えない厚さに形成してあるボトル用景品収納包装容器、および底体の下方部に垂下して延出するヘッダーを設けて広告表示部としてあるボトル用景品収納包装容器を開発し、採用した。
【考案の効果】
【００１０】
本考案は、ボトルの口部に螺合するキャップに、景品収納容器と一体となった短筒状のキャップ本体を被着するので、その取付けが確実で容易になり、運搬輸送後においても景品収納容器が移動することなく所定位置に保持される。また、従来の包装袋のように首部から胴部にかけて形成された傾斜面にそって傾斜するようなことなく、首部から胴部にかけての比較的高い位置で垂直に装着されているので外観の体裁が良好になり、ボトルの表示部を隠すことがない。さらに、景品収納容器は合成樹脂製であり剛性を有することから、収納された景品は損傷することがない。
【００１１】
また、景品収納容器の底体の下方部を延出して下部ヘッダーを形成してあるから、宣伝広告文などを大きく表示でき目に付きやすくなる効果があると共に、蓋体を開閉する時の指当て片にもなり開閉がスムーズにできる。
【考案を実施するための最良の形態】
【００１２】
以下に、本考案の第１実施の形態を添付図面に基づいて説明すれば、１はポリスチレンやポリプロピレンなどの合成樹脂からなり下端部に向って末広がりの短筒状のキャップ本体で、ペットボトルＢの口部に螺合するキャップ体Ｃに被着するものである。このキャップ本体１の一側面に景品収納容器２を構成する底体３が一体的に形成されていると共に、その底体３と蓋体４が連結片５を介して上下に一体的になっている。
【００１３】
景品収納容器２は、景品が外部から見えても良い時には透明性の包装容器を用い、また、どんな景品が入っているのかと期待を抱かせる場合には不透明の包装容器を用いる。
【００１４】
底体３および蓋体４は横長の方形状に形成されていて、一側面を開口部３ａ，４ａとすると共に、他側面に景品収納する膨出空間部３ｂ、４ｂに形成してあり、底体３の開口部３ａと蓋体４の開口部４ａが腹合せになるよう連結片５の中央部から折り曲げられるようになっている。
【００１５】
底体３の両側面６、６と下部ヘッダー７の上部には係合凸部８、８、８が設けてあり、この係合凸部８は蓋体４の両側面９、９と上部ヘッダー１０に設けた係合凹部１１、１１、１１と係合するようになっている。
【００１６】
１２は底体３の下端部から垂設する下部ヘッダー７に施した広告表示部である。下部ヘッダー７は蓋体４を開放する時の上部ヘッダー１０を摘む時の指当て片を兼ねていて開閉を容易にしてある。
【００１７】
このように構成した本考案の使用状態を作用、効果と共に説明すれば、景品収納容器２の蓋体４が開放された状態で景品Ｐを底体３に収容して蓋体４を図２の矢印方向に折り曲げて底体３の係合凸部８、８、８と蓋体４の係合凸部１１、１１、１１を係合する。
【００１８】
景品収納容器２は底体３と蓋体４の一側開口部を腹合せにし、他側面を景品収納する膨出空間部３ｂ、４ｂに形成してあるから、比較的深さがあって従来の景品より分厚い小玩具や立体的なキャラクターフィギユアなどの景品を収納できる。景品収納容器２は剛性があるので景品を傷つけることがない。さらに、係合凹凸部８，１１の係脱により蓋体４を開閉自在にしてあるから、景品Ｐの出し入れが非常に便利になる。
【００１９】
景品Ｐが収容されると短筒状のキャップ本体１をペットボトルＢの口部に嵌合するキャップＣに被せることにより景品付きペットボトルとなり、景品包装容器２は短筒状のキャップ本体１と一体的になっているからずれ動く事がない。
【００２０】
以上、本考案の主要な実施の形態について説明したが、本考案は、これらの実施の形態に限定されるものではなく、考案の目的を達成でき、且つ考案の要旨を逸脱しない範囲内で種々の設計変更が可能であることは当然である。
【産業上の利用可能性】
【００２１】
本考案は、清涼飲料水、ジュース、コーヒー、お茶などだけでなく、ビール、酎ハイなどのアルコール類の他、麺つゆ、酢、醤油、ソース、などの液体流動品が充填されたペットボトルや瓶などにも適用することができる。
【図面の簡単な説明】
【００２２】
【図１】本考案の実施の形態示す正面図である。
【図２】図１のＡ−Ａ線断面図である。
【図３】底体と蓋体を係合した状態の縦断側面図である。
【図４】ボトルに装着した状態の縦断側面図である。
【図５】従来例を示す斜視図である。
【符号の説明】
【００２３】
１    キャップ本体
２    景品収納容器
３    底体
３ａ  開口部
４    蓋体
４ａ  開口部
７    下部ヘッダー
【図１】
0003108300.tif 000003
【図２】
0003108300.tif 000004
【図３】
0003108300.tif 000005
【図４】
0003108300.tif 000006
【図５】
0003108300.tif 000007